(57)【特許請求の範囲】
【請求項１】
気体捕集容器と、前記気体捕集容器に液を補給する液体注水口と、循環する液体が前記気体捕集容器に流れ込む液体流入路と、前記気体捕集容器内の液体が流れ出す液体流出路とよりなり、前記液体流入路と前記液体流出路とは対向する位置に配設され、前記液体流出路は前記気体捕集容器の内方まで延出してその流入口が前記気体捕集容器内に位置し、前記液体流入路の出口部には液体の流入方向を略直角に曲げる偏向板を設けた構成の気体捕集装置。
【発明の詳細な説明】
【０００１】
【発明の属する技術分野】
本発明は、液体搬送システムに使用される液体中の気体成分を分離捕集する気体捕集装置に関するものである。
【０００２】
【従来の技術】
従来この種の熱媒循環回路に使用される気体分離手段は特開昭６３−８０１３３号公報に記載されているようなものが一般的であった。この気体分離手段である膨張タンク１は図１１に示すように循環ポンプ２の吸い込み部に取り付けられ、容器は大気解放か伸縮材よりなる蓋を有した構成である。
【０００３】
そして、上記構成において、加熱用熱交換器３で加熱された熱媒は熱媒往き管４から暖房放熱器５を通り熱媒戻り管６へと流れ膨張タンク１に入る。膨張タンクに流入した熱媒中に含まれる気体は膨張タンク１内で浮上しタンク上部に溜まり、循環ポンプ２から循環回路へ送られる熱媒は気体が除去された状態で循環する。
【０００４】
【発明が解決しようとする課題】
しかしながら上記従来の液体搬送システムに使用される空気捕集装置では、液体搬送装置を一定方向に設置する構成となっている。そのため、携帯可能で液体搬送装置の向きが３６０度自由に変わる装置においては、気体成分が分離されず循環してしまうという課題があった。
【０００５】
【課題を解決するための手段】
上記課題を解決するために本発明の液体捕集装置は気体捕集容器に液を補給する液体注水口、循環する液体が前記容器に流れ込む液体流入路、前記容器内の液体が流れ出す液体流出路とを備えると共に、前記液体流出路の流入口が前記容器内に位置させ、循環する液体中の気体成分が前記気体捕集容器の液体流出路の流入口より上の部分に分離っされるようにしたものである。
【０００６】
上記発明によれば液体捕集容器内の気体成分は液体流出路内に流れ込むことはなく、循環液は気体成分が除去された状態で循環することになる。
【０００７】
【発明の実施の形態】
本発明は気体捕集容器と、前記気体捕集容器に液を補給する液体注水口と、循環する液体が前記気体捕集容器に流れ込む液体流入路と、前記気体捕集容器内の液体が流れ出す液体流出路とよりなり、前記液体流入路と前記液体流出路とは対向する位置に配設され、
前記液体流出路は前記気体捕集容器の内方まで延出してその流入口が前記気体捕集容器内に位置し、前記液体流入路の出口部には液体の流入方向を略直角に曲げる偏向板を設けたものである。
【０００８】
そして、気体捕集容器がどの向きになっても、液体流入路から流入した気体成分は液体流出路の流入口の上部に溜まり、気体成分の液体流出路内への流入が防止され、循環液は気体成分が除去された状態で循環することになる。
【０００９】
また、偏向板により、液体流出路から入り込んだ気体成分が直接液体流出路から流出しないようにしたものである。
【００１０】
【実施例】
以下、本発明の実施例について図面を用いて説明する。
【００１１】
（実施例１）
図１は本発明の実施例１の熱媒循環回路に適用した気体捕集装置の断面図、図２、図３は気体捕集装置の垂直配置における断面図である。
【００１２】
図１〜図３において、７は気体捕集装置で気体捕集容器８と前記液体捕集容器８の上面壁９に液体注水口１０と、対向する側壁１１、１２に液体流入路１３，液体流出路１４とを有している。前記液体流入路１３，液体流出路１４は各側壁の中心に位置すると共に、前記液体流出路１４は流入口１５が容器のほぼ中央位置になるように容器内に延びている。注水口１０は蓋１６で封止される。１７は液体流入路１３の出口部に設けられた偏向板である。
【００１３】
１８は熱媒加熱搬送装置で燃焼手段１９，熱交換手段２０，前記燃焼手段１９と熱交換手段２０間に挿入された熱電気変換手段２１、燃料タンク２２と熱媒搬送手段２３とで構成されている。前記熱媒搬送手段２３は熱電気変換手段２１の起電力で駆動する。２４は放熱手段である。
【００１４】
次に動作について説明すると、熱媒加熱搬送装置１８の燃焼手段１９が燃焼し加熱が始まると、熱電気変換手段２１の上面の温度が上昇し、下面との温度差が生じ、熱電気変換手段２１が発電する。発電した電力は熱媒搬送手段２３に供給され、熱媒搬送手段２３が始動し、熱媒が循環する。循環する熱媒は燃焼手段１９の燃焼熱で熱交換手段２０を介し加熱され、放熱手段２４へ送られる。放熱手段２４で放熱した熱媒は液体流入路１３から気体捕集容器８に流れ込む。気体捕集容器８に流れ込んだ熱媒は熱媒中の気体成分が浮上し（Fa）、熱媒中の気体成分が分離された状態となる。気体成分が除去された熱媒は流入口１５から液体流出路１４を通り（Fb）、熱媒搬送手段２３に流れ込み循環回路を一巡する。加熱循環運転が繰り返され、気体捕集容器８の上部に溜まる気体成分が増加し、液面Lが捕集限界レベルである流入口１５の上面に接近したら、蓋１６を開け熱媒を補給する。
【００１５】
次に、気体捕集容器８が垂直向きに置かれたときの空気捕集メカニズムについて説明する。
【００１６】
図２に示すように液体流入路１３が下方に置かれた向きでは、流入した熱媒は偏向板１７に当たり向きを変えられ、熱媒中の気体成分は容器内を浮上し、容器上部に捕集される。気体成分が除去された熱媒は流入口１５から液体流出路１４へと流れ出る（Fc）。
【００１７】
また、図３に示すように液体流入路１３が上方に置かれた向きでは、流入した熱媒は気体成分はそのまま容器内上部に溜まり捕集され、液体成分は偏向板１７に当たり容器内へ流れ落ちる（Fd）。気体成分が除去された熱媒は流入口１５から液体流出路１４へと流れ出る（Fe）。本実施例によれば、気体捕集容器が水平、垂直いずれの向きに置かれても熱媒中の気体成分は分離捕集され、液体成分のみを循環させることができる。
【００１８】
（実施例２）
図４は本発明の実施例２を示す気体捕集装置の断面図であり。実施例１と異なる点は液体流出菅１４をフレキシブル菅２５にし、前記フレキシブル菅２５の流入口２６が気体捕集容器内の液面に対し底方向へ移動可能にしたものである。
【００１９】
なを、実施例１と同一符号のものは同一構造を有し、説明は省略する。
【００２０】
次に動作について説明すると、気体捕集容器８が水平に置かれたときは、フレキシブル菅２５が重力作用により湾曲して、流入口２６が捕集限界レベルである捕集容器８のほぼ中央水平面より下に移動し、捕集可能なラインがLaまで下がり気体捕集量が拡大する。
【００２１】
なお、液体流出管全長を可撓性としたが、液体流出管の一部を可撓性としても同様に実施することができる。
【００２２】
（実施例３）
図５、６は本発明の実施例３を示す気体捕集装置の断面図である。実施例１と異なる点は液体流出菅１４を伸縮材である蛇腹菅２７にしたもので、蛇腹菅２７の流入口２８が容器水平及び垂直設置でも気体捕集容器内の液面に対し底方向へ移動可能にしたものである。
【００２３】
なを、実施例１と同一符号のものは同一構造を有し、説明は省略する。
【００２４】
次に動作について説明すると、気体捕集容器８が水平に置かれたときは、蛇腹菅２７が重力作用により湾曲して、流入口２８が捕集限界レベルである捕集容器８のほぼ中央水平面より下に移動し、捕集可能なラインがLｂまで下がり前記同様に気体捕集量が増大する。
【００２５】
また、図６に示すように気体捕集容器８が垂直で液体流入路１３が上方に置かれた向きのときは、蛇腹菅２７が重力により湾曲反転して、流入口２８が捕集限界レベルである捕集容器８のほぼ中央水平面より下に反転し、捕集可能なラインがLcまで下がり気体捕集量が拡大する。また、気体捕集容器８が垂直で液体流入路１３が下方に置かれた向きのときは、蛇腹菅２７の流入口２８は重力作用で気体捕集容器８の底近くまで垂れ下がり気体捕集容積が増大する。
【００２６】
（実施例４）
図７は本発明の実施例４を示す気体捕集装置８の断面図である。実施例１と異なる点はフレキシブル材よりなる液体流出路２５の流入口２６部に錘２９を取り付け、前記流入口２６が重力作用により確実に捕集限界レベルである捕集容器８のほぼ中央水平面より下に移動するようにしたことである。
【００２７】
なを、実施例１と同一符号のものは同一構造を有し、説明は省略する。
【００２８】
次に動作について説明すると、フレキシブル菅２５が錘２９の重力作用により湾曲して、流入口２６が気体捕集容器８の液溜り底部により接近し、気体捕集量が増大する。
【００２９】
（実施例５）
図８は本発明の実施例５を示す気体捕集装置８の断面図である。実施例１と異なる点は、液体流出管の流入口３０側は金属管等の比重が大きな高比重材流路３１、壁体取り付け側は蛇腹材を用いた可撓性流路３２とした２つの流路の接合構成にし、前記流入口３０が重力作用により確実に捕集限界レベルである捕集容器８のほぼ中央水平面より下に移動するようにしたことである。
【００３０】
なを、実施例１と同一符号のものは同一構造を有し、説明は省略する。
【００３１】
次に動作について説明すると、液体流出路の流路３１には重量により、水面下に沈もうとする力が作用する、この力により可撓性流路３２は変形し流入口３０が液溜まりの底方向に移動する。この実施例によると流路３１は材質、形状の選択により重量を自由に設定でき、流入口の重力移動能力を高めることができる。
【００３２】
（実施例６）
図９は本発明の実施例６を示す気体捕集装置８の断面図である。実施例１と異なる点は液体流入路３３の中心と、液体流出路３４の中心とをずれた位置関係にし、液体流入路３３から気体捕集容器８に流れ込んだ気体が直進しても流入口３５から液体流出路３４に流れ込まないようにしたところである。
【００３３】
なを、実施例１と同一符号のものは同一構造を有し、説明は省略する。
【００３４】
次に動作について説明すると、気体捕集容器８が垂直で液体流入路３３が下になる向きに置かれたときに、液体流入路３３から気体捕集容器８に流れ込んだ気体成分はほぼ垂直に浮上し(Ff)、液体流出路３４の流入口３５に入り込むことなく気体捕集容器８の上部に捕集され、設置方向が３６０度どの方向になっても気体成分の分離捕集性能が得られる。
【００３５】
（実施例７）
図１０は本発明の実施例７を示す気体捕集装置８の断面図である。実施例１と異なる点は液体流入路３６と液体流出路３７とを気体捕集容器８の同一壁３８に設け、前記液体流出路３７が前記流入路３６より長くしたものである。
【００３６】
なを、実施例１と同一符号のものは同一構造を有し、説明は省略する。
【００３７】
次に動作について説明すると、液体流入路３６から気体捕集容器８に流れ込んだ気体成分は容器内に流れ込むと直ぐ上向きに浮上し捕集される（Fg）。液体流出路３７の流入口３９へ流入するのを防止することができ、気体成分の分離捕集性能が向上する。
【００３８】
【発明の効果】
以上の説明から明らかなように本発明の気体捕集装置によれば次の効果を奏する。
【００３９】
本発明は気体捕集容器から液体が流れ出す液体流出路の流入口が前記容器内に位置するように液体流出路を突出させたものである。
【００４０】
そして、気体捕集容器がどの向きになっても、循環する熱媒中の気体成分が分離捕集され、液体成分のみが循環するとともに、熱搬送手段の搬送流量低下がなく、熱媒による熱搬送効率が向上する。
【００４１】
また、偏向板により、液体流出路から入り込んだ気体成分が直接液体流出路から流出しないようになる。
【図面の簡単な説明】
【図１】  本発明の実施例１の熱媒循環回路における気体捕集装置の横断面図
【図２】  同気体捕集装置の液体流出路上向き時の作動状態を示す断面図
【図３】  同気体捕集装置の液体流出路下向き時の作動状態を示す断面図
【図４】  本発明の実施例２の気体捕集装置のフレキシブル液体流出路を示す断面図
【図５】  本発明の実施例３の気体捕集装置の蛇腹液体流出路を示す断面図
【図６】  同気体捕集装置の蛇腹液体流出路上向き設置時の動作を示す断面図
【図７】  本発明の実施例４の気体捕集装置の錘付液体流出路を示す断面図
【図８】  本発明の実施例５の気体捕集装置の２流路接合液体流出路を示す断面図
【図９】  本発明の実施例６の気体捕集装置の液体流入路と液体流出路の中心変位を示す断面図
【図１０】  本発明の実施例７の気体捕集装置の液体流入路と液体流出路同一壁取付けを示す断面図
【図１１】  従来の熱媒循環回路における気体分離手段を示す原理構成図
【符号の説明】
７  気体捕集装置
８  気体捕集容器
１０  液体注水口
１３  液体流入路
１４  液体流出路
１９  燃焼手段
２１  熱電気変換手段
２２  熱媒搬送手段
２５  フレキシブル管
２７  蛇腹菅
２９  錘
３１  高比重材流路
３２  可撓性流路
【図１】
0003887928.tif 000002
【図２】
0003887928.tif 000003
【図３】
0003887928.tif 000004
【図４】
0003887928.tif 000005
【図５】
0003887928.tif 000006
【図６】
0003887928.tif 000007
【図７】
0003887928.tif 000008
【図８】
0003887928.tif 000009
【図９】
0003887928.tif 000010
【図１０】
0003887928.tif 000011
【図１１】
0003887928.tif 000012